(57)【特許請求の範囲】
【請求項１】
複数のコインを同時に受入れるコイン一括投入部（Ａ）、この投入部（Ａ）から受入れるコインを順次送り出すコイン送出装置（Ｃ）を含むコイン受付装置において、
コイン一括投入部（Ａ）とコイン送出装置（Ｃ）との間に、投入物中の異物を捕捉してコイン通路から退避させる異物セパレータ（Ｂ）を設け、
前記異物セパレータ（Ｂ）は、
コイン通路に捕捉面を近接させて回転するとともに外周面に磁性が付与された異物捕捉ローラ（Ｂ０）と、
前記異物捕捉ローラ（Ｂ０）側へ傾斜された底面を有し、前記コイン一括投入部（Ａ）から投入された投入物を前記底面に沿って前記異物捕捉ローラ（Ｂ０）へと案内するコイン案内床（Ｂ７）と、
前記コイン案内床（Ｂ７）の底面と前記異物捕捉ローラ（Ｂ０）との間隙によって形成され、前記コイン案内床に沿って案内されたコインを通過させるスリット状通路（ＢＭ）と、
前記スリット状通路（ＢＭ）において前記前記異物捕捉ローラ（Ｂ０）と対向する前記コイン案内床（Ｂ７）の底面に形成され、コインの直径よりも小さな幅からなる開口部（Ｂ７２）と、
を備え、
前記スリット状通路（ＢＭ）の高さ方向の幅が略１枚分のコインの厚さを有することを特徴とするコイン受付装置。
【請求項２】
コイン通路の退避位置に、異物捕捉ローラ（Ｂ０）で捕捉した異物の連れ回りを防止する連れ回り防止手段（Ｂ２）を設けた請求項１に記載のコイン受付装置。
【請求項３】
異物捕捉ローラ（Ｂ０）の前段に、一括投入物を受入れる受入手段（Ｂ１）と、受入れた投入物を受入手段（Ｂ１）の内方で移動させる投入物移動手段（Ｂ３）とを設けた請求項１又は請求項２に記載のコイン受付装置。
【請求項４】
受入手段（Ｂ１）からオーバーフローする投入物を異物捕捉ローラ（Ｂ０）をバイパスさせてコイン送出装置（Ｃ）側に導くオーバーフローシュート（Ｂ４）を設けた請求項３記載のコイン受付装置。
【請求項５】
投入物移動手段（Ｂ３）は、異物捕捉ローラ（Ｂ０）の回転軸と交差する回転軸をもつターンテーブル（Ｂ３０）から成る請求項４に記載のコイン受付装置。
【請求項６】
ターンテーブル（Ｂ３０）を、異物捕捉ローラ（Ｂ０）に対する隣接部を下方にして傾斜させている請求項５に記載のコイン受付装置。
【請求項７】
ターンテーブル（Ｂ３０）の下方に、駆動源（Ｂ５）を直結すると共に、この駆動源（Ｂ５）と異物捕捉ローラ（Ｂ０）とを投入物を避けた位置に配置する連動手段（Ｂ６）で連動させた請求項５又は請求項６に記載のコイン受付装置。
【請求項８】
ターンテーブル（Ｂ３０）と異物捕捉ローラ（Ｂ０）を結ぶ前記コイン案内路の底面は、コインサポート部（Ｂ７１）と前記開口部（Ｂ７２）とを混在させた構造をもつ請求項５乃至請求項７のいずれかに記載のコイン受付装置。
【発明の詳細な説明】
【０００１】
【発明の属する技術分野】
本発明は、パチンコ型スロットマシン（略称パチスロ）と称される回胴式遊技機、一般のスロットマシン、パチンコ機等の各種遊技機やゲーム機、自動販売機、現金自動振込機、硬貨弁別機等に適用され、一括投入されたメダルや硬貨といったコインを受付けるコイン受付装置に関する。
【０００２】
【従来の技術】
従来、特公平６−７３５６３号公報に開示され且つ図４０に示すように、パチンコ型スロットマシンＰのコイン投入口Ｊは、コインＭが一枚づつ入るスリット状の開口となっており、コインを一枚一枚手で順に入れていくタイプのものが主流である。このようなものでは、コインを一枚一枚手で投入する煩雑さはあるが、コイン投入口Ｊの開口面積が小さく、悪戯や不正等により異物が挿入される危険性が本来的に低いと共に、投入されるコインは、その投入時点で順次一枚づつ送り出されるため、コイン投入口Ｊの下流側でコイン払出ホッパーＨの上流側には、コイン検出器Ｎ１と組合せたソレノイド式選別部をもつ比較的構造の簡易なコインセレクタＳ１が介在する程度であり、たとえ異物の投入による詰まり等があっても、簡単な清掃等により軽微な不具合は解消でき、また、パーツ交換に要する費用も安価に済む。
【０００３】
一方、コイン投入の煩わしさを緩和するため、ワイドなトレイ形のコイン一括投入部Ｗを設けて、多数枚のコインＭを一度に投入するタイプのものが注目されている。図４０に示した上記公報記載のものでは、一枚づつの投入口Ｊと併用するものとして、コイン一括投入部Ｗが設けられている。このような一括投入タイプのものでは、コイン検出器Ｎ２及びコインセレクタＳ２の上流側において、一括投入された多数のコインＭをまず順次一枚づつ送り出す必要があり、コイン一括投入部Ｗの下流にはコインを順次送り出すホッパー形のコイン送出装置Ｆが介在する。尚、図４０中、Ｋはリール部パネル、Ｒはスイッチ類設置部、Ｓはコイン送出装置Ｆの操作スイッチ、Ｏはコイン払出口、Ｅはその受皿である。
【０００４】
【発明が解決しようとする課題】
しかし、コイン一括投入部Ｗを設けるものでは、その投入部Ｗの開口面積が大きいため、悪戯や不正等によって異物が挿入され易いと共に、コインセレクタＳ２の上流側にはコイン送出装置Ｆが余分に介在し、しかも、この送出装置Ｆは多数雑多なコインを順次送り出すホッパー形の駆動機構等を有する比較的構造の複雑なものであるため、コインの通路系に回復困難な詰まりが生じたり、機構部に破損が生じやすく、修復に長時間を要すると共にパーツ交換費用も嵩み、実害が大きい問題がある。
【０００５】
本発明では、本来的に異物が投入され易いと共に異物投入による実害も大きいコイン一括投入式のものにおいて、異物投入による通路の詰まりや機構部の破損等といった実害を低減できるコイン受付装置を提供することを課題とする。
【０００６】
【課題を解決するための手段】
請求項１記載の発明は、上記課題を解決するため、図３並びに図１０〜１６の例に示すように、複数のコインを同時に受入れるコイン一括投入部Ａ、この投入部Ａから受入れるコインを順次送り出すコイン送出装置Ｃを含むコイン受付装置において、コイン一括投入部Ａとコイン送出装置Ｃとの間に、投入物中の異物を捕捉してコイン通路から退避させる異物セパレータＢを設け、前記異物セパレータ（Ｂ）は、コイン通路に捕捉面を近接させて回転するとともに外周面に磁性が付与された異物捕捉ローラ（Ｂ０）と、前記異物捕捉ローラ（Ｂ０）側へ傾斜された底面を有し、前記コイン一括投入部（Ａ）から投入された投入物を前記底面に沿って前記異物捕捉ローラ（Ｂ０）へと案内するコイン案内床（Ｂ７）と、      前記異物捕捉ローラ（Ｂ０）側へ傾斜された底面を有し、前記コイン一括投入部（Ａ）から投入された投入物を前記底面に沿って前記異物捕捉ローラ（Ｂ０）へと案内するコイン案内床（Ｂ７）と、前記コイン案内床（Ｂ７）の底面と前記異物捕捉ローラ（Ｂ０）との間隙によって形成され、前記コイン案内床に沿って案内されたコインを通過させるスリット状通路（ＢＭ）と、前記スリット状通路（ＢＭ）において前記前記異物捕捉ローラ（Ｂ０）と対向する前記コイン案内床（Ｂ７）の底面に形成され、コインの直径よりも小さな幅からなる開口部（Ｂ７２）と、を備え、前記スリット状通路（ＢＭ）の高さ方向の幅が略１枚分のコインの厚さを有する。
【０００７】
【０００８】
【０００９】
【００１０】
また、請求項１記載の発明は、悪戯やゴトと称する不正行為において比較的高い頻度で挿入される恐れがあり、しかも、与えられるダメージも大きい異物を効果的に排除するため、異物捕捉ローラＢ０の捕捉面は、金属を吸着させる磁性を有するものにした。
【００１１】
請求項２記載の発明は、異物捕捉ローラＢ０による捕捉能力を高いものに維持するため、コイン通路の退避位置に、異物捕捉ローラＢ０で捕捉した異物の連れ回りを防止する連れ回り防止手段Ｂ２を設けた。
【００１２】
請求項３記載の発明は、異物捕捉ローラＢ０での異物の捕捉を良好にするため、異物捕捉ローラＢ０の前段に、一括投入物を受入れる受入手段Ｂ１と、受入れた投入物を受入手段Ｂ１の内方で移動させる投入物移動手段Ｂ３とを設けた。
【００１３】
請求項４記載の発明は、一括投入物を受入れる受入手段Ｂ１の容量に合わせて一度に投入するコイン投入量に上限を付すといった制約を設けない範囲内で所期の目的を達成するため、受入手段Ｂ１からオーバーフローする投入物を異物捕捉ローラＢ０をバイパスさせてコイン送出装置Ｃ側に導くオーバーフローシュートＢ４を設けた。
【００１４】
【００１５】
請求項５記載の発明は、異物捕捉ローラＢ０に対する異物の取り込み位置を柔軟に変更して円滑な取り込みが行えるようにするため、投入物移動手段Ｂ３は、異物捕捉ローラＢ０の回転軸と交差する回転軸をもつターンテーブルＢ３０から成るものにした。
【００１６】
請求項６記載の発明は、異物捕捉ローラＢ０での投入物の取り込みを一層円滑にするため、ターンテーブルＢ３０を、異物捕捉ローラＢ０に対する隣接部を下方にして傾斜させた。
【００１７】
請求項７記載の発明は、経済的且つスペース的にも有利な条件で良好な作動を保証するため、ターンテーブルＢ３０の下方に、駆動源Ｂ５を直結すると共に、この駆動源Ｂ５と異物捕捉ローラＢ０とを投入物を避けた位置に配置する連動手段Ｂ６で連動させた。
【００１８】
請求項８記載の発明は、異物捕捉ローラＢ０へのコインの受け渡しを良好にすると共に、異物捕捉ローラＢ０での捕捉対象とならない液体等の侵入を排除するため、ターンテーブルＢ３０と異物捕捉ローラＢ０を結ぶコイン案内路の底面は、コインサポート部Ｂ７１と開口部Ｂ７２とを混在させた構造をもつものにした。
【００１９】
【発明の作用効果】
請求項１記載の発明では、図３に示すように、コイン一括投入部Ａから受入れた投入物は、異物セパレータＢを経てコイン送出装置Ｃに至る。投入物中のコイン以外の異物は異物セパレータＢによりコイン送出装置Ｃでの送り出し処理前に捕捉される。そして、図１０に示すように、捕捉した異物ＭＤは、コイン通路から退避させられ、次にやってくるコインに伴ってコイン送出装置Ｃ側に至るのを防止できる。このため、コイン送出装置Ｃでの円滑な送り出し処理を保証でき、該コイン送出装置Ｃの通路系に詰まりが生じたり、機構部に破損が生じるといった実害を低減できる。
【００２０】
また、請求項１記載の発明では、異物捕捉ローラＢ０の回転に伴い、このローラＢ０の新たな捕捉面Ｂ００がコイン通路に次々と現われる。このため、異物を効果的に捕捉できると共に捕捉した異物を良好に退避できる。
また、異物捕捉ローラＢ０での捕捉の対象とならない小さな異物や液体等はコイン案内路の開口部Ｂ７２から落下させられる。このため、異物捕捉ローラＢ０での異物の捕捉能力を補い、このローラＢ０での捕捉対象とならない異物を含めてコイン通路からコイン以外を効果的に排除することができる。
【００２１】
【００２２】
【００２３】
更に、請求項１記載の発明では、磁性を有する異物捕捉ローラＢ０の捕捉面Ｂ００により、クリップ、針金、釘、鍵、偽造金属コイン等の金属異物ＭＤを良好に捕捉でき、悪戯やゴトと称する不正行為等による被害を効果的に低減できる。
【００２４】
請求項２記載の発明では、連れ回り防止手段Ｂ２により、異物捕捉ローラＢ０で捕捉した異物ＭＤがコイン通路に再び戻ってくるのを低減できる。このため、コイン通路に異物捕捉ローラＢ０のクリーンな捕捉面Ｂ００を臨ませることができ、エンドレスに異物を捕捉できる。
【００２５】
請求項３記載の発明では、図１１に示すように、コイン一括投入部Ａから投入された投入物は一旦異物捕捉ローラＢ０の前段の受入手段Ｂ１に受入れられ、投入物移動手段Ｂ３により適度にさばかれて異物捕捉ローラＢ０に導かれる。異物捕捉ローラＢ０の一箇所に投入物が集中して滞留ぎみとなっても、投入物が適宜移動させられ、その取り込み位置が変えられることにより緩和される。このため、一括投入された投入物を異物捕捉ローラＢ０に円滑に取り込ませることができ、異物捕捉ローラＢ０での異物の捕捉を良好に行わせることができる。
【００２６】
請求項４記載の発明では、図３に示すように、受入手段Ｂ１での受入容量を越えて一度に過剰な量の投入物が投入されても、超過分はオーバーフローシュートＢ４により、異物捕捉ローラＢ０をバイパスしてコイン送出装置Ｃに導かれる。このバイパスされる超過分については異物の捕捉対象外となるが、一旦投入されたコインは必ずコイン送出装置Ｃに導かれるため、利用者に不測の不利益を与えることもない。このため、利用者の多少乱暴な使い方にも対応でき、ユーザーフレンドリーな仕様にできる。
【００２７】
【００２８】
請求項５記載の発明では、異物捕捉ローラＢ０と交差するターンテーブルＢ３０により、投入物は異物捕捉ローラＢ０の回転軸の長さ方向に移動し得る。このため、異物捕捉ローラＢ０に対する取り込み位置を柔軟に変更でき、異物捕捉ローラＢ０に対する投入物の取り込みを円滑にできる。
【００２９】
請求項６記載の発明では、図３に示すように、ターンテーブルＢ３０の傾斜構造により、投入物を異物捕捉ローラＢ０側に良好に集めることができ、該ローラＢ０での投入物の取り込みを一層円滑に行える。
【００３０】
請求項７記載の発明では、図１０〜１２に示すように、ターンテーブルＢ３０及び異物捕捉ローラＢ０を一つの駆動源Ｂ５で駆動でき、経済性が図れる。加えて、ターンテーブルＢ３０の上方に投入物の受入スペースを広く確保できると共に、異物捕捉ローラＢ０への投入物の導入も妨げられることがない。このため、作動を良好に保証できる。
【００３１】
請求項８記載の発明では、図１１に示すように、コインはターンテーブルＢ３０を経てコイン案内路の底面のコインサポート部Ｂ７１により受け止められ、異物捕捉ローラＢ０に良好に受け渡される。
【００３２】
【発明の実施の形態】
図１は、本発明を適用したパチンコ型スロットマシンから成る遊技機を示す。コインには、例えば直径２４．６〜２５．５ｍｍ、厚さ１．４〜１．８ｍｍの遊技メダルが使用される。遊技機本体８は、箱形の筐体８１及び矢印ｔ方向に開くフロント扉８２を有する。上から、遊技状態表示器８Ａ、配当部パネル８Ｂ、リール部パネル８Ｃ、スイッチ類設置部８Ｄ、腰部パネル８Ｅ、前面スピーカパネル８Ｆ、コイン受皿８Ｇを備える。スイッチ類設置部８Ｄには、複数のコインを同時に受入れるコイン一括投入部Ａ、演出や遊技説明等に用いる液晶ディスプレイ等から成る画像表示装置８Ｈを設けている。
【００３３】
図２に示すように、リール部パネル８Ｃの奥には、外周に「７」や「チェリー」や「オレンジ」等の図柄を描いた３列の機械式リール８Ｌ，８Ｍ，８Ｒを内装している。停止状態では各列３個の図柄が見える。図柄の数は各リール１本につき２１個程度である。８３は、１ゲームの賭けコイン数を決めるベットスイッチであり、１回の押圧で３枚、２回の押圧で２枚、３回以上の押圧で１枚と順次賭け枚数を減らし、最も頻度の高い３枚賭け遊技を１回の押圧で行えるようにしている。もっとも、逆に押圧回数に賭け枚数を比例させてもよいし、１〜３枚の賭け数に対応させて個別のベットスイッチを設けてもよい。賭け枚数に応じ、１枚なら中央の判定ラインＬ１が１本、２枚なら上下のラインＬ２，Ｌ２を加えた３本、３枚なら斜めのラインＬ３，Ｌ３をも加えた５本が有効になる。有効化された判定ラインに対応して横の表示ランプＥ１〜Ｅ３が点燈する。
【００３４】
１ゲームの起動は、コイン投入状態において、レバーから成るゲームスタートスイッチ８４を上又は下に作動させることで行われ、３個のリール８Ｌ，８Ｍ，８Ｒが一斉に回転する。各リールに対応するストップボタン８ｅ，８ｍ，８ｒの操作によりリールは個別に停止し、有効判定ライン上に並ぶ図柄の組合わせにより入賞の有無、賞の大小による配当枚数が決定される。８５は、所定数５０枚を上限としてコインを後のゲーム分まで予め記憶させておくクレジット状態と、そのクレジット分及びコイン送出装置Ｃに残留するコインを受皿８Ｇに払い出す清算状態とを切り換える清算スイッチである。
【００３５】
図３に示すように、遊技機本体８の内部におけるコイン一括投入部Ａの下流には、投入物中の異物を捕捉してコイン通路から退避させる異物セパレータＢ、このセパレータＢを経て一次側貯留部Ｃ１に受入れた多数のコインを順次１枚づつ送り出して遊技機本体８の内部下方のコイン払出ホッパー８６のコイン貯蔵用バケット８６０に取り込むコイン送出装置Ｃを具備する。コイン一括投入部Ａは、該投入部Ａを設けるアセンブリＡＡに設ける嵌合爪ＡＡ１、係止爪ＡＡ２、ネジボスＡＡ３を介して、スイッチ類設置部８Ｄに取付けている。異物セパレータＢは、ブラケット８７，８８を介してフロント扉８２の裏にネジ止めしている。コイン送出装置Ｃは、筐体８１内のフレーム８１０にブラケット８９，９０を介して支持する支持部材９１上において、レール機構をもつ着脱ガイド手段Ｄを介して着脱自由に取付けている。
【００３６】
尚、フロント扉８２の裏には、コイン受皿８Ｇの内方のコイン払出兼返却口８Ｋ（図２）に通じるキャンセルシュート９２を取付けている。また、コイン一括投入部Ａの上部のリール部パネル８Ｃには、コイン送出装置Ｃにおける一次側貯留部Ｃ１の内方を観察する透明部材から成る観察窓９３を設けている。更に、一次側貯留部Ｃ１の後方には、該貯留部Ｃ１の死角領域を観察窓９３側に写し出すミラーＣ７を設けている。
【００３７】
図４に示すように、コイン一括投入部Ａを設けるアセンブリＡＡには、異物セパレータＢ並びにコイン送出装置Ｃを駆動する操作スイッチＡＳを一体に設け、コインの一括投入操作とこれに引き続く内部への取込み操作を連続した一連の動作で操作性良く行え、かつ、組付及び部品交換の作業性を高めるようにしている。操作スイッチＡＳは、コイン一括投入部Ａの開口Ａ０に隣接する可動操作部材Ａ１を備え、図５の白抜矢印及び矢印ｑで示すように、スイッチベースを構成するガイド部材Ａ３に対しスライド及び回動自由に支持している。
【００３８】
図６及び図７に示すように、可動操作部材Ａ１は、コイン一括投入部Ａの開口Ａ０の長尺方向に沿う長尺部材から成り、図８及び図９に示すように、丸みを帯びた長尺な透明部材から成る押圧片Ａ１１と、その矩形基部Ａ１１０を矩形凹所Ａ１２０に受入れ且つ爪部Ａ１１１を係止孔Ａ１２１に受入れて押圧片Ａ１１に一体化する透明部材から成る連動片Ａ１２を有する。押圧片Ａ１１の頭部はアセンブリＡＡのスイッチ穴ＡＡ０から外に出ている。ガイド部材Ａ３は、図６に示すように、正面から見てＵ字形を呈するスイッチベース本体Ａ３０を備え、図８に示すように、アセンブリＡＡの左右における下方前後に突設する連結片ＡＡ４，ＡＡ５に連結部Ａ３１，Ａ３２を連結している。
【００３９】
可動操作部材Ａ１とガイド部材Ａ３との間には、可動操作部材Ａ１のスライド及び回動動作を長尺方向左右両側において案内する案内手段Ａ２を設けている。この案内手段Ａ２は、可動操作部材Ａ１を構成する連動片Ａ１２の本体Ａ１２２の左右に設けるピンＡ２１と、ガイド部材Ａ３を構成するスイッチベース本体Ａ３０の左右壁に設ける長孔状のピン受入穴Ａ２２とから成る。図８のＡＸ矢視詳細で示す通り、ピン受入穴Ａ２２の下側前方に口を開く挿入口Ａ２２０からピンＡ２１を挿入している。
【００４０】
また、可動操作部材Ａ１とガイド部材Ａ３との間には、図５に示すように、可動操作部材Ａ１のスライド動作に連動して矢印ｒ方向に揺動する揺動部材Ａ４を設けている。この揺動部材Ａ４は、図７に示すように平面矩形を呈するベースＡ４３の左右に、力骨Ａ４３０を挟んで後前に揺動軸Ａ４１と連結軸Ａ４２を一体に備える。そして、図８に示すように、揺動軸Ａ４１を、スイッチベース本体Ａ３０の底壁上部に突設するホルダーＡ３３に回動自由に受入れると共に、その揺動中心Ａ４０に対し変位する連結軸Ａ４２に、可動操作部材Ａ１を構成する連動片Ａ１２の下端左右に設けるフックＡ１２３を回動自由に連結している。
【００４１】
更に、図８に示すように、揺動部材Ａ４の前端に一体化するバネ受Ａ４４と、ガイド部材Ａ３側のバネ受Ａ３４との間には、コイルバネから成る復帰用スプリングＡ６を介装している。
【００４２】
また、スイッチベース本体Ａ３０の底壁下部には取付座Ａ３５を一体化しており、これに投入口基板Ａ７をネジ止めしている。投入口基板Ａ７の上面にはフォトインタラプタから成る非接触式の検出手段Ａ５及びスイッチオンで点灯する３個のＬＥＤ（Ａ８）を実装しており、裏面にはコネクタＡ９を実装している。図９に示すように、スイッチベース本体Ａ３０には、検出手段Ａ５を通す抜穴Ａ３７及びＬＥＤ（Ａ８）を通す丸穴Ａ３８を開口している。検出手段Ａ５は上開放のＵ字形を呈し、その検出路Ａ５０に、揺動部材Ａ４の下端に一体化する断面Ｔ字形の進退片Ａ４５を臨ませ、揺動部材Ａ４の揺動に伴う進退片Ａ４５の進退軌跡上に、検出手段Ａ５の検出路Ａ５０が位置するようにしている。
【００４３】
尚、図９に示すように、スイッチベース本体Ａ３０の底壁上部には左右一対のスライドストッパーＡ３６を突設しており、可動操作部材Ａ１の連動片Ａ１２に一体化した当接片Ａ１２４を当接させ、可動操作部材Ａ１のストロークを一定範囲内に規制している。また、図７に示すように、アセンブリＡＡのコイン案内床ＡＡ６には、複数列の摩擦軽減レールＡＡ７を設けていると共に、図８に示すように、コイン案内床ＡＡ６の奥には、長穴状のゴミ取り小穴ＡＡ８を左右横幅方向に複数個並設している。
【００４４】
以上のものでは、押圧片Ａ１１を長尺部材にして操作性を向上しながら、その左右両側において案内手段Ａ２によりそのスライド動作を案内するから、その動きを円滑にできる。また、連動片Ａ１２はピンＡ２１を中心に回動し得るため、押圧片Ａ１１を多少斜め方向から押してもそのスライド動作を円滑に案内でき、操作性を良いものにできる。更に、連動片Ａ１２と揺動部材Ａ４をフックＡ１２３により連結したから、押圧片Ａ１１の押圧時及びスプリングＡ６による復帰時のいずれについても、スイッチの動きと検出手段５での検出との間にズレが生じることもなく、確実な作動を保証できる。
【００４５】
次に異物セパレータＢの詳細を説明する。このセパレータＢは、コイン一括投入部Ａから受入れた投入物中の異物をコイン送出装置Ｃでの処理前に捕捉するものであって、図１０〜１２に示すように、金属を吸着させる磁性を有する捕捉面Ｂ００をもつ異物捕捉ローラＢ０を備える。ローラシャフトＢ０３の外周に筒形のマグネットを接着等して磁性を付与している。異物捕捉ローラＢ０の捕捉面Ｂ００は、略１枚分のコインを通過させるスリット状のコイン通路ＢＭに臨ませており、コイン通路からの異物の捕捉及び捕捉した異物の退避を行う異物捕捉手段Ｂ０１及び異物退避手段Ｂ０２を構成している。回転の向きは、図１０中矢印の通りである。
【００４６】
異物捕捉ローラＢ０の前段には、一括投入物を受入れる受入手段Ｂ１と、受入れた投入物を受入手段Ｂ１の内方で移動させる投入物移動手段Ｂ３とを設けている。受入手段Ｂ１は、斜め前方側に傾斜する略筒形を呈するバケットＢ１０の内方に設けている。投入物移動手段Ｂ３は、異物捕捉ローラＢ０の回転軸と交差する回転軸をもち、図１１中矢印の向きに回転するターンテーブルＢ３０から成る。
【００４７】
図１３及び図１４に示すように、ターンテーブルＢ３０の下方には、モータベースＢ８を介して、駆動源Ｂ５を直結している。駆動源Ｂ５は、直流電動機等から成るモータＢ５１と、ギヤ減速比を例えば１／１０とした減速機Ｂ５２を含む。そして、減速出力軸Ｂ５３をターンテーブルＢ３０のハブＢ３１に嵌合し、回り止めピンＢ５４で止めている。ターンテーブルＢ３０は、ハブ上部の突出筒部Ｂ３２、所定広さの円板部Ｂ３３、外周の垂下筒部Ｂ３４を有する。モータベースＢ８は、斜め上方に折れ曲がる前縁部Ｂ８１、プレート本体Ｂ８２、後側の抜穴Ｂ８３をもち、ネジ穴Ｂ８４にネジＢ８５を通して、図１５のメインフレームＢＢの下方の袴状台座ＢＢ１に当てがい、ネジボスＢＢ２に止めている。
【００４８】
駆動源Ｂ５と異物捕捉ローラＢ０とは、投入物を避けた位置に配置する連動手段Ｂ６で連動している。連動手段Ｂ６は、ターンテーブルＢ３０のハブＢ３１の下部に一体化した小径プーリ部Ｂ６１、ドライブベルトＢ６２、ドライブシャフトＢ６００に回転自由に支持するドライブウォームＢ６０の大径プーリ部Ｂ６３、ドライブウォームＢ６０のウォームギヤ部Ｂ６４、これに噛み合うハスバ歯車から成るローラシャフトＢ０３に結合したドライブギヤＢ６５を含む。連動手段６は、ターンテーブルＢ３０及びメインフレームＢＢの下方並びに異物捕捉ローラＢ０の端面外方に配置され、投入物とは干渉しない。
【００４９】
図１５に示すように、メインフレームＢＢは、中心にターンテーブルＢ３０の受入穴ＢＢ０をもち、後側に異物捕捉ローラＢ０のシャフト軸受ＢＢ３，ＢＢ４を設けている。受入穴ＢＢ０の後側には、ターンテーブルＢ３０と捕捉ローラＢ０を結ぶコイン案内床Ｂ７をもつ。コイン案内床Ｂ７は、コインサポート部Ｂ７１に、コインの直径よりも小さな幅をもつ複数の開口部Ｂ７２を混在させており、異物捕捉ローラＢ０での捕捉の対象とならない小さな異物や液体等を開口部Ｂ７２から落下させ、図３に示すようにコイン送出装置Ｃに具備するオーバーフローガイドＣ６を経てキャンセルシュート９２に排出するようにしている。
【００５０】
メインフレームＢＢにおけるドライブギヤＢ６５側には、該ドライブギヤＢ６５の逃がし穴Ｂ６６をもつギアサポートアングルＢ６７を、サイドラッチＢＢ５への係止と、後端ネジボスＢＢ６へのネジＢ６８の締結とにより止めている。また、メインフレームＢＢの上部には、受入穴ＢＢ０よりもやや小径の中心穴Ｂ９０をもち且つネジボスＢＢ２及び上端位置決めピンＢＢ７に対応させたネジ通穴Ｂ９１及び位置決め穴Ｂ９２をもつライナープレートＢ９を載せ、図１６に示すバケットＢ１０を取付けている。
【００５１】
バケットＢ１０は、上方左右に横洩れ防止サポータＢ１１を一体化している。また、後側３箇所の取付座Ｂ１２に、異物捕捉ローラＢ０で捕捉した異物の連れ回りを防止する連れ回り防止手段Ｂ２をネジＢ２３にて止めている。この連れ回り防止手段Ｂ２は、コイン通路から退避した位置において異物捕捉ローラＢ０の捕捉面Ｂ００に接触する薄い選別シートＢ２１と、その取付基部を押えるシートベースＢ２２から成る。
【００５２】
また、バケットＢ１０の上部には、受入手段Ｂ１からオーバーフローする投入物を異物捕捉ローラＢ０をバイパスさせてコイン送出装置Ｃ側に導くオーバーフローシュートＢ４を取付けている。このシュートＢ４は、下流端に急傾斜部Ｂ４１を連続させたすべり台部Ｂ４２を備え、一対の爪受入穴Ｂ４３にバケットＢ１０側の爪Ｂ１３を係止させている。
【００５３】
尚、バケットＢ１０は、下部のフランジ部Ｂ１４のネジ穴Ｂ１５にネジＢ１６を通し、図１５のメインフレームＢＢのネジボスＢＢ２に取付けている。また、図３に示すように、異物セパレータＢの全体は、ターンテーブルＢ３０と異物捕捉ローラＢ０との隣接部を下方にして約２５°程度後ろに傾け、後下がりの状態で設置している。
【００５４】
以上のものでは、ターンテーブルＢ３０の回転、異物連れ回りの防止、後下がりの設置姿勢等が相まち、コイン一括投入部ＡからバケットＢ１０内に受入れられた投入物は、適度に捌かれ且つ適宜移動しながら異物捕捉ローラＢ０に円滑に導かれ、正規のコインは次段のコイン送出装置Ｃにスムーズに受け渡されると共に、クリップ、針金、釘、鍵、偽造金属コイン等の金属異物ＭＤ（図１０参照）は異物捕捉ローラＢ０の捕捉面Ｂ００で良好に捕捉され、コイン通路から退避した選別シートＢ２１の部分で保持され、コイン送出装置Ｃ側への流出を効果的に防止できる。
【００５５】
次に、コイン送出装置Ｃの詳細を説明する。この送出装置Ｃは、図１７及び図１８に示すように、前述のコイン一括投入部Ａから異物セパレータＢを経てホッパーバケットＣ１０の内方に設ける一次側貯留部Ｃ１にコインを受入れて貯留する。そして、その貯留コインを回転ディスクＣ３の回転駆動により二次側通路Ｃ２に順次１枚づつ送り出し、コイン選別部Ｃ４で真偽選別した後、真コインＴＭは真コイン検出器Ｃ２５０で計数処理し、二次側通路Ｃ２の出口Ｃ２０２からダクト状の出口通路Ｃ２０を経てコイン払出ホッパー８６に取り込ませる。一方、偽コインＩＭはコイン選別部Ｃ４の離脱開口Ｃ４０４から回転ディスクＣ３の裏側に沿って前方に延設する略Ｌ字箱形の離脱通路Ｃ４０及びこれと連通する中継通路Ｃ４４４を経て、キャンセルシュート９２の途中部に設ける流入口９２２に排出する。
【００５６】
図１９〜２２に示すように、回転ディスクＣ３は、メインベースＣ２１とこれに積層するトップカバーＣ２２との間にサンドイッチ状に介装している。図２２の通り、メインベースＣ２１上に設ける回転係止式の爪受入部Ｃ２６１にトップカバーＣ２２の外爪Ｃ２６２を受入れ、ベース側ネジ穴Ｃ２６３に符合するカバー側取付片Ｃ２６４の上からネジ止めしている。
【００５７】
図２１に示すように、回転ディスクＣ３、メインベースＣ２１及びトップカバーＣ２２の組付体の全体は、頂面に前低後高の傾斜状載部Ｃ２３０，２４０を前後にもち、メインベースＣ２１の受入穴Ｃ２１１にＬ形フックＣ２１２を係止させると共にネジＣ２１３をボスＣ２１４に受入れて止める右及び左のサイドスタンドＣ２３，Ｃ２４を介して支持している。そして、組付体全体を、回転ディスクＣ３の上面の一次側貯留部Ｃ１がコイン一括投入部Ａ側に向くように前下がり姿勢で設置している。
【００５８】
水平面ＨＰに対する傾斜角度αは例えば約２５°程度である。また、コイン選別部Ｃ４は、二次側通路Ｃ２の登坂部Ｃ２０４に設けている。二次側通路Ｃ２の出口Ｃ２０２は、図１７に示すように、後上がりした部位に開口している。右及び左のサイドスタンドＣ２３，Ｃ２４は、後方部においてリアスタンドＣ２５で連結している。
【００５９】
図２２に示すように、回転ディスクＣ３の下面所定位置に対応するメインベースＣ２１上には、二次側通路Ｃ２へのコイン送出口Ｃ２７０を除いて円周方向に沿って延びるコインガイドＣ２７を取付けている。また、回転ディスクＣ３及び二次側通路Ｃ２の外側には、複数に分割したコインサポータガイドＣ２８１〜Ｃ２８５を取付けている。
【００６０】
回転ディスクＣ３は、直流電動機等なる成るモータＣ３００及び減速機Ｃ３１０をもつ駆動手段の出力軸Ｃ３０１により駆動される。回転ディスクＣ３は、出力軸Ｃ３０１と連結するボス部Ｃ３１、ディスク本体Ｃ３２、これの中央上部に膨出する円錐台状のコイン案内体Ｃ３３、その周りの４個のコイン落とし穴Ｃ３４、一次側貯留部Ｃ１側に向けて突出する円筒ガイドＣ３５、略フラットな外周側の円環フランジ部Ｃ３６、裏面に突設し且つ隣接する落とし穴Ｃ３４間に介在する４個のコイン送出片Ｃ３７、同じく裏面に突設し且つコイン送出片Ｃ３７と所定の位相遅れをもつ４個のコイン移送片Ｃ３０を具備する。全体は、例えばポリアセタール等の合成樹脂で一体形成している。回転ディスクＣ３の回転数は、数１０〜数１００ｒｐｍ、例えば７０ｒｐｍ程度である。
【００６１】
図１８に示すように、二次側通路Ｃ２に送り出されたコインは、コイン移送片Ｃ３０の前方側の凹入状くびれ部Ｃ３８に受け止められ、二次側通路Ｃ２内を移送案内される。二次側通路Ｃ２の入口Ｃ２０１から出口Ｃ２０２にかけての登坂部Ｃ２０４の全域が、コイン移送片Ｃ３０による移送力が及ぶ強制移送路Ｃ２０３となる。
【００６２】
そして、登坂部Ｃ２０４の途中にコイン選別部Ｃ４を設けており、この選別部Ｃ４は、径の小さな偽コインＩＭを真コインＴＭと分けるものであって、真コインＴＭの直径よりも若干幅の狭い離脱開口Ｃ４０４、これを挟む外周側の細幅な載置部から成る第１のコインサポータＣ４１及び内周側の可動体Ｃ４００を構成する第２のコインサポータＣ４２、開口部終端側の下向き約１０°のコインすくい上げ片４３を具備する。第２のコインサポータＣ４２は、支点軸Ｃ４２１回りに揺動する揺動部材Ｃ４２２に取付けており、通電オン・オフに伴い進退するロッドＣ４２３をもつソレノイド式の駆動手段Ｃ４２４及び連結リンクＣ４２５により揺動部材Ｃ４２２を揺動させ、図１８の通常選別状態と、後述する図３２の全コイン回収状態とを切換え可能にしている。
【００６３】
図１９に示すように、正規の真コインＴＭよりも直径の大きなコインは落とし穴Ｃ３４の入口側テーパ部Ｃ３４１から下に落ち込まず、径大なものは落とし穴Ｃ３４の入口部で排除される。また、真コインＴＭよりも厚いコインは落とし穴Ｃ３４の送出し開放部Ｃ３４２から抜けず、落とし穴Ｃ３４の出口部で排除される。いずれにしても規格を上回る大きなコインは、回転ディスクＣ３の二次側には送り出されない。落とし穴Ｃ３４は、丁度、従来の一枚用投入口の開口部スリットが規定のコインに合わせた大きさにしているのと同様な機能を果たす。
【００６４】
図２３に示すように、トップカバーＣ２２の上部円筒部Ｃ１００には、ホッパーバケットＣ１０の円筒部Ｃ１０１を連続させており、トップカバーＣ２２上に設ける回転係止式の爪受入部Ｃ２９１にホッパーバケットＣ１０の圧入爪Ｃ２９２を係止させている。トップカバーＣ２２には、回転ディスクＣ３から二次側通路Ｃ２に送り出された選別前の全コインを検出する反射型フォトセンサ等から成るコイン検出器Ｃ２００、コイン選別部Ｃ４に突入するコインの挙動を安定化させる挙動安定化手段Ｃ５を支持している。
【００６５】
また、ホッパーバケットＣ１０の前側には、一次側貯留部Ｃ１に過剰なコインが投入された場合、過剰貯留コインを前下がりした前方側にオーバーフローさせて、キャンセルシュート９２の最上流部の広口流入口９２１に排出するオーバーフローガイドＣ６を一体に設けている。
【００６６】
ホッパーバケットＣ１０の後側の取付座Ｃ１０２の上部には、前述したミラーＣ７を取付けており、取付座Ｃ１０２の下部には、一次側貯留部Ｃ１の貯留コインと干渉して回転ディスクＣ３へのコインの取込みを補助する補助手段Ｃ８を取付けている。この補助手段Ｃ８は、取付座Ｃ１０２にネジＣ１０３で止める取付巻部Ｃ８１、平面的に見て別ループを描く本体巻部Ｃ８２、その先端のフック部Ｃ８３を一体にもつダンパースプリングから成る弾性体で構成している。
【００６７】
図２４に示すように、回転ディスクＣ３が白抜き矢印で示す反時計方向に回転すると、落とし穴Ｃ３４の底に落ち込んだ各コインＭは、穴から少し外側に変位してコインガイドＣ２７の内周部に当たり、この状態でコイン送出片Ｃ３７によって連れ回りされる。コインガイドＣ２７が途切れる送出口Ｃ２７０に達すると、コインＭは遠心力により実線矢印ａの方向に放出され、二次側通路Ｃ２に送り出される。コインガイドＣ２７に沿ってコインＭが連れ回りされる平面と二次側通路Ｃ２の平面とがフラットに連続しているため、コインＭは円滑に送り出される。また、コイン移送片Ｃ３０の後方側には、コインＭの送り出しを妨げることなく二次側通路Ｃ２に案内する凹入状えぐり部Ｃ３９を設けている。
【００６８】
図２５に示すように、コインＭが落とし穴Ｃ３４の底から外側に変位せず滞留している場合にも、コイン送出口Ｃ２７０の終端近傍に設けるロック防止機構Ｃ２２０により、その送り出しが補助される。ロック防止機構Ｃ２２０は、支点軸Ｃ２２１、その回りに揺動する揺動部材Ｃ２２２、これに突設するピンＣ２２３、ピン受入長穴Ｃ２２４、付勢バネＣ２２５を具備し、滞留したコインＭとピンＣ２２３とを接触させ、ピンＣ２２３の反時計方向（矢印ｂ）への復元力により、コインＭを外側（矢印ｃ）に脱出させるものである。
【００６９】
図２６に示すように、コイン送出口Ｃ２７０からのコインＭの飛び出しが不十分で、コインＭが途中で止っても、コイン移送片Ｃ３０の先端部で円周方向（矢印ｄ）に弾かれ、弾かれたコインＭは、コイン送出片Ｃ３７及びロック防止機構Ｃ２２０のピンＣ２２３に邪魔されて内方側には戻らず、外方側（矢印ｅ）に送り出される。
【００７０】
図２７に示すように、二次側通路２に送り出されたコインＭはコイン移送片Ｃ３０によって強制的に移送される。コイン検出器Ｃ２００でコインＭの通過が検出され、続いて、コイン選別部Ｃ４に突入することになる。
【００７１】
図２８に示すように、コイン選別部Ｃ４に突入したコインは、レバー軸Ｃ５０回りに揺動するレバー片Ｃ５１及びその押圧スプリングＣ５２から成る挙動安定化手段Ｃ５により上から適度に押え付けられ、その挙動が安定化される。
【００７２】
図２９に示すように、規定内の寸法の真コインＴＭは、その直径方向両端を第１及び第２のコインサポータＣ４１，Ｃ４２により受け止められ、離脱開口Ｃ４０４から下に落ちることなく運ばれる。コイン選別部Ｃ４の出口で、真コインＴＭが前下がり気味になっていても、コインすくい上げ片Ｃ４３により二次側通路Ｃ２に円滑に受け渡される。
【００７３】
図３０に示すように、コイン選別部Ｃ４の下流側では、真コイン検出器Ｃ２５０による検出が行われる。この検出器Ｃ２５０は、透過型フォトセンサから成る検出部Ｃ２５１、その検出光路Ｃ２５２に進退する揺動部材Ｃ２５３、その揺動支点軸Ｃ２５４、当接ピンＣ２５５、ピン受入長穴Ｃ２５６、付勢バネＣ２５７を具備する。選別された真コインＴＭを当接ピンＣ２５５に接触させて揺動部材Ｃ２５３を反時計方向（矢印ｆ）に退かせ、検出光路Ｃ２５２に揺動部材Ｃ２５３を臨ませることにより真コインＴＭを検出し、クレジット数をプラス１する。
【００７４】
図３１に示すように、真コイン検出器Ｃ２５０を通過した真コインＴＭは、二次側通路Ｃ２の出口Ｃ２０２から出口通路Ｃ２０を経てコイン払出ホッパー８６に開放される（矢印ｇ）。一方、真コインに対し径の小さい偽コインＩＭがコイン選別部Ｃ４に導かれると、第１及び第２のコインサポータＣ４１，Ｃ４２により両端が受け止められないため、離脱開口Ｃ４０４から下に落下し（矢印ｈ）、離脱通路Ｃ４０を経てキャンセルシュート９２に排出される。
【００７５】
図３２に示すように、コイン選別部Ｃ４に具備するソレノイド式の駆動手段Ｃ４２４を通電オフすると、通電オンで引き状態にあったロッドＣ４２３が伸び、可動体Ｃ４００を構成する第２のコインサポータＣ４２が変位して（矢印ｉ）、離脱開口Ｃ４０４の開口幅が広がる。この状態で回転ディスクＣ３が回転すると、真コインＴＭ及び偽コインＩＭを含めて全コインを離脱開口Ｃ４０４から離脱通路Ｃ４０を経てキャンセルシュート９２に回収できる（矢印ｊ）。
【００７６】
以上のものでは、一次側貯留部Ｃ１のコインを、前下がり姿勢とされた回転ディスクＣ３により順次送り出し、後上がりした部位に開口する二次側通路Ｃ２の出口Ｃ２０２から取り出すと共に、二次側通路Ｃ２の登坂部Ｃ２０４に設けたコイン選別部Ｃ４により重力に逆らうコインの移送により真偽選別を行うため、コイン送出装置Ｃの入口側と出口側との間に大きな落差を確保する必要性をなくせると共に、別途外部にコイン選別部を設けなくとも良好な選別が行え、高さ方向の寸法を効果的に低減できる。
【００７７】
次に、コイン送出装置Ｃの着脱ガイド手段Ｄの詳細を説明する。この着脱ガイド手段Ｄは、図３３〜３５に示すように、コイン送出装置Ｃを支持する支持部材９１のボトム９２にネジ９３及び位置決めピン９４を介して取付けるベースプレートＤ１、その右及び左のレールＤ２，Ｄ３、後端縁のストッパ片Ｄ４，Ｄ５を一体にもつ板金製のレール機構ＤＤから成る。尚、支持部材９１には左サイドプレート９５を立設しており、支持部材９１のボトム９２及び左サイドプレート９５、並びに、筐体８１内のフレーム８１０を構成する右内フレーム８１１及びリール載置フレーム８１２とで、間口矩形の棚ＤＤ０を形成している。
【００７８】
また、支持部材９１の後端のバックプレート片９６の前には、遊技機の制御を担う後述の制御装置との間で信号のやりとりをする電気コネクタＤ６０をコネクタホルダーＤ６００を介して支持している。９７は左サイドプレート９５に開けた通風穴、９８はボトム９２前端の折返し壁部であり、図１７等で示すように中継通路Ｃ４４４を取付けている。又、９９はその中継通路Ｃ４４４の後端を嵌合する嵌合爪である。
【００７９】
図３５に示すように、レール機構ＤＤのベースプレートＤ１には、支持部材９１のボトム９２に開口する連通口Ｄ２０，Ｄ４０と対応する開口Ｄ２００，Ｄ４００を設けており、遊技機本体８に対するコイン送出装置Ｃの装着完了位置で、コイン送出装置Ｃの出口通路Ｃ２０をベースプレートＤ１の開口Ｄ２００を介してボトム９２の連通口Ｄ２０に突き合わせている。同様に、コイン選別部Ｃ４の離脱通路Ｃ４０をベースプレートＤ１の開口Ｄ４００を介してボトム９２の連通口Ｄ４０に突き合わせている。尚、ベースプレートＤ１上の他の開口Ｄ１００，Ｄ３００は、コイン通路として用いておらず、支持部材９１のボトム９２の平面で閉塞している。
【００８０】
図３５中、Ｃ６０はコイン送出装置ＣのリアスタンドＣ２５に取付けた電気コネクタであり、コイン送出装置ＣのモータＣ３００、ソレノイド式の駆動手段Ｃ４２４、各コイン検出器Ｃ２００，Ｃ２５０と直接又は回路基板Ｃ５００（図３６参照）を介して間接的に結んでいる。遊技機本体８に対するコイン送出装置Ｃの装着完了位置で、コイン送出装置Ｃの電気コネクタＣ６０は、支持部材９１に支持した遊技機本体８側の電気コネクタＤ６０に接続される。
【００８１】
図３６，３７に示すように、コイン送出装置Ｃの右及び左のサイドスタンドＣ２３，Ｃ２４の下端には、前端から後端に延びる側方突出爪Ｃ２３５，Ｃ２４５を設けており、レール機構ＤＤの右及び左レールＤ２，Ｄ３に挿入して滑らせ、遊技機本体８に対するコイン送出装置Ｃの装着及び離脱をガイドさせている。装着完了位置では、サイドスタンドＣ２３，Ｃ２４及びリアスタンドＣ２５は、ストッパ片Ｄ４，Ｄ５に当接して止められる。
【００８２】
図３６に示すように、コイン送出装置ＣのメインベースＣ２１の下面には、アースプレートＣ７０をネジＣ７１により止めており、このアースプレートＣ７０の下端のブラシ片Ｃ７２を、右レールＤ２の内側に接触させている。こうして、コイン送出装置Ｃのアースラインを、全体を板金で形成する導電性をもつレール機構ＤＤ及び同じく導電性をもつ支持部材９１を介して遊技機本体８の筐体アースと連結している。尚、右レールＤ２は左レールＤ３よりも挿入方向入口側が短く、又、その入口側に挿入を容易にするためのテーパ形のカットガイドＤ６を設けている。
【００８３】
図３７に示すように、コイン送出装置Ｃの左サイドスタンドＣ２４の下方には、左レールＤ３に設ける切欠部Ｄ７と係合して、遊技機本体８に対するコイン送出装置Ｃの装着完了位置を保持させる解除可能な保持手段Ｄ９０を設けている。この保持手段Ｄ９０は、柔軟性を有する合成樹脂材料で形成しており、レバー形本体Ｄ９１の先細り先端部Ｄ９２を左サイドスタンドＣ２４の横孔Ｃ２６に挿入し、抜止め爪Ｄ９３で抜け止め係止している。レバー形本体Ｄ９１の下端には、三角形の係合爪Ｄ９４を一体化しており、左レールＤ３の切欠部Ｄ７にこれを係合させることにより、装着完了位置を保持させている。解除する時は、レバー形本体Ｄ９１の後端を内側に曲げることにより、係合爪Ｄ９４を切欠部Ｄ７から外す。
【００８４】
以上のものでは、コイン送出装置Ｃの装着時、右及び左サイドスタンドＣ２３，Ｃ２４の下端に設けた側方突出爪Ｃ２３５，Ｃ２４５をレール機構ＤＤにおける右及び左のレールＤ２，Ｄ３に受入れて滑らせ、遊技機本体８の奥行方向に挿入する。装着完了位置においては、コイン送出装置Ｃの出口通路Ｃ２０が支持部材９１のボトム９２に開口した連通口Ｄ２０に自動的に突き合わせられ、図３５中矢印Ｇで示すように、コイン払出ホッパー８６側に良好にコインを受け渡すことができる。
【００８５】
同時に、コイン選別部Ｃ４の離脱通路Ｃ４０がボトム９２に開口した連通口Ｄ４０に自動的に突き合わせられ、図３５中矢印Ｊで示すように、中継通路Ｃ４４４を経てキャンセルシュート９２に偽コインを良好に返却できる。また、装着完了位置では、電気コネクタＣ６０，Ｄ６０同士の接続も自動的に行われる。更に、コイン送出装置Ｃのアースラインも、アースプレートＣ７０及び右レールＤ２を介して筐体アースに自動的に落とされる。しかも、保持手段Ｄ９０におけるレバー形本体Ｄ９１と左レールＤ３の切欠部Ｄ７との係合により装着完了位置も良好に保持される。
【００８６】
コイン送出装置Ｃの取外し時は、レバー形本体Ｄ９１と左レールＤ３との係合を外し、コイン送出装置Ｃをレール機構ＤＤに滑らせながら遊技機本体８から離脱させる。これにより、出口通路Ｃ２０、離脱通路Ｃ４０、電気コネクタＣ６０、アースプレートＣ７０の接続が自動的に解かれ、容易に取外しが行える。こうして、遊技機本体８に対するコイン送出装置Ｃの取付け及び取外しが容易に行え、清掃や点検等に便利なものとなる。
【００８７】
図３８は、遊技機全体の制御ブロック図であり、マイクロコンピュータＣＰＵ、読出し専用メモリＲＯＭ、ランダムアクセスメモリＲＡＭで構築する制御装置９００を具備する。９０１はクロックパルス発生回路、９０２は分周器、９０３は入賞態様発生のための抽選に用いる乱数発生器、９０４は乱数サンプリング回路である。
【００８８】
入力側には、コイン検出器Ｃ２００、真コイン検出器Ｃ２５０、操作スイッチＡＳ、コイン投入スイッチ８３、ゲームスタートスイッチ８４、清算スイッチ８５、ストップボタン８ｅ，８ｍ，８ｒからの停止信号回路９０５、リール８Ｌ，８Ｍ，８Ｒの位置検出回路９０６、コイン払出ホッパー８６の払出完了信号回路９０７を接続している。
【００８９】
出力側には、制御対象となる、異物セパレータＢのモータＢ５１、コイン送出装置ＣのモータＣ３００、コイン選別部Ｃ４のソレノイド式駆動手段Ｃ４２４、リール８Ｌ，８Ｍ，８Ｒの各ステッピングモータＳＬ，ＳＭ，ＳＲの駆動回路９０８、コイン払出ホッパー８６に内蔵する払出用のホッパー駆動回路９０９、表示器駆動回路９１０、効果音出力回路９１１を接続している。
【００９０】
図３９に、遊技開始からの制御装置９００による制御を示す。清算スイッチ８５がオンで払出しを要求している場合（ステップｓ１）、クレジット分のコインをコイン払出ホッパー８６から受皿８Ｇに払出し（ｓ２）、引き続いて一次側貯留部Ｃ１の残留コインを同受皿８Ｇに払出し（ｓ３）、最初に戻る。残留コインの払出し時、ソレノイド式の駆動手段Ｃ４２４をオフした状態で、異物セパレータＢ及びコイン送出装置ＣのモータＢ５１，Ｃ３００を回転させる。
【００９１】
清算しない場合、コイン投入スイッチ８３がオンされると（ｓ４）、その押圧回数に対応した３〜１枚のコインを投入し且つクレジットを減算して（ｓ５）、最初に戻る。
【００９２】
操作スイッチＡＳがオンされると（ｓ６）、クレジット数が上限の５０枚に達するか（ｓ７）、コイン投入スイッチ８３がオンされるか（ｓ８）、コイン切れが生じてコイン検出器Ｃ２００が３秒間非検出状態となるか（ｓ９）の何れかに該当しない限り、異物セパレータＢ及びコイン送出装置ＣのモータＢ５１，Ｃ３００が駆動回転されると共にコイン選別部Ｃ４のソレノイド式駆動手段Ｃ４２４がオンされる（ｓ１０）。尚、操作スイッチＡＳが１回押されてオンすると、操作スイッチＡＳから手を離しても差し支えない仕様にしている。
【００９３】
こうして、異物セパレータＢでの異物の分離、コイン送出装置Ｃでのコインの送出し、コイン選別部Ｃ４での真偽選別が行われ（ｓ１１）、真偽選別の結果、不正な偽コインは受皿８Ｇに戻ることになる。正規の真コインは真コイン検出器Ｃ２５０で検出され、クレジットに加算される（ｓ１２）。
【００９４】
ステップｓ６以下の処理途中で、クレジット数が５０枚に達するか（ｓ７）、又はコイン検出器Ｃ２００が３秒間非検出状態になると（ｓ９）、各モータＢ５１，Ｂ３００を停止させると共に駆動手段Ｃ４２４をオフし（ｓ１３）、最初に戻る。途中でコイン投入スイッチ８３がオンされると（ｓ８）、各モータＢ５１，Ｂ３００の停止及び駆動手段Ｃ４２４のオフ処理後（ｓ１４）、コイン投入及びクレジット減算の処理ステップ（ｓ５）を経て最初に戻る。
【００９５】
そして、ゲームスタートスイッチ８４がオンされると（ｓ１５）、３〜１枚のコインが正規に投入されていると（ｓ１６）、リール８Ｌ，８Ｍ，８Ｒの回転処理（ｓ１７）、ストップボタン８ｅ，８ｍ，８ｒによる停止処理（ｓ１８）、入賞判定処理（ｓ１９）、入賞によるコインの払出し処理（ｓ２０）を経て終了する。入賞時は、その賞態様に応じた枚数のコインをクレジットに加算するか、コイン払出装置８６から払出口８６１（図２参照）及びキャンセルシュート９２を経て受皿８Ｇに実際に払い出す。
【図面の簡単な説明】
【図１】本発明を適用した遊技機の斜視図。
【図２】同遊技機の内部を一部透視した正面図。
【図３】同遊技機の内部を横から見た要部断面図。
【図４】コイン一括投入部を横から見た一部を断面にした側面図。
【図５】同作動状態の側面図。
【図６】コイン一括投入部を前から見た一部を断面にした正面図。
【図７】同上から見た一部を透視した平面図。
【図８】コイン一括投入部の側面から見た組立図。
【図９】同正面から見た組立図。
【図１０】異物セパレータの側断面図。
【図１１】同平面図。
【図１２】同背面図。
【図１３】異物セパレータの平面から見た第１の組立図。
【図１４】図１３のＢＸ−ＢＸ線での断面図。
【図１５】異物セパレータの平面から見た第２の組立図。
【図１６】同第３の組立図。
【図１７】コイン送出装置を横から見た一部を断面にした側面図。
【図１８】同平面図。
【図１９】図１８のＣＹ−ＣＹ線での拡大断面図。
【図２０】図１８のＣＸ−ＣＸ線での拡大断面図。
【図２１】図１８のＣＺ−ＣＺ線での拡大断面図。
【図２２】コイン送出装置の平面から見た第１の組立図。
【図２３】同第２の組立図。
【図２４】コイン送出装置の第１の動作説明図。
【図２５】同第２の動作説明図。
【図２６】同第３の動作説明図。
【図２７】同第４の動作説明図。
【図２８】図２７のＣＷ−ＣＷ線での拡大断面図。
【図２９】コイン送出装置の第５の動作説明図。
【図３０】同第６の動作説明図。
【図３１】同第７の動作説明図。
【図３２】同第８の動作説明図。
【図３３】着脱ガイド手段の側面図。
【図３４】同正面図。
【図３５】同平面図。
【図３６】コイン送出装置の装着の様子を示す右側面図。
【図３７】同左側面図。
【図３８】遊技機の制御ブロック図。
【図３９】同遊技機の制御フローチャート。
【図４０】従来技術の説明図。
【符号の説明】
Ａ；コイン一括投入部
ＡＳ；操作スイッチ、Ａ１；可動操作部材、Ａ２；案内手段、Ａ３；ガイド部材、Ａ４；揺動部材、Ａ５；検出手段
Ｂ；異物セパレータ
Ｂ０；異物捕捉ローラ、Ｂ１；受入手段、Ｂ２；連れ回り防止手段、Ｂ３；投入物移動手段、Ｂ４；オーバーフローシュート、Ｂ５；駆動源、Ｂ６；連動手段、Ｂ７；コイン  案内床
Ｃ；コイン送出装置
Ｃ１；一次側貯留部、Ｃ２；二次側通路、Ｃ３；回転ディスク、Ｃ４；コイン選別部、Ｃ５；挙動安定化手段、Ｃ６；オーバーフローガイド、Ｃ７；ミラー、Ｃ８；補助手段  、Ｃ２０；出口通路、Ｃ４０；離脱通路
Ｄ；着脱ガイド手段
Ｄ２０，Ｄ４０；連通口、Ｃ６０，Ｄ６０；電気コネクタ、Ｄ９０；保持手段
８；遊技機本体、９１；支持部材
【図１】
0004286373.tif 000002
【図２】
0004286373.tif 000003
【図３】
0004286373.tif 000004
【図４】
0004286373.tif 000005
【図５】
0004286373.tif 000006
【図６】
0004286373.tif 000007
【図７】
0004286373.tif 000008
【図８】
0004286373.tif 000009
【図９】
0004286373.tif 000010
【図１０】
0004286373.tif 000011
【図１１】
0004286373.tif 000012
【図１２】
0004286373.tif 000013
【図１３】
0004286373.tif 000014
【図１４】
0004286373.tif 000015
【図１５】
0004286373.tif 000016
【図１６】
0004286373.tif 000017
【図１７】
0004286373.tif 000018
【図１８】
0004286373.tif 000019
【図１９】
0004286373.tif 000020
【図２０】
0004286373.tif 000021
【図２１】
0004286373.tif 000022
【図２２】
0004286373.tif 000023
【図２３】
0004286373.tif 000024
【図２４】
0004286373.tif 000025
【図２５】
0004286373.tif 000026
【図２６】
0004286373.tif 000027
【図２７】
0004286373.tif 000028
【図２８】
0004286373.tif 000029
【図２９】
0004286373.tif 000030
【図３０】
0004286373.tif 000031
【図３１】
0004286373.tif 000032
【図３２】
0004286373.tif 000033
【図３３】
0004286373.tif 000034
【図３４】
0004286373.tif 000035
【図３５】
0004286373.tif 000036
【図３６】
0004286373.tif 000037
【図３７】
0004286373.tif 000038
【図３８】
0004286373.tif 000039
【図３９】
0004286373.tif 000040
【図４０】
0004286373.tif 000041